(57)【特許請求の範囲】
【請求項１】
配管内を気体により輸送せしめる飛灰の輸送に際し、輸送配管適所でマイクロ波又は紫外線を照射しダイオキシン類を分解除去するダイオキシン類の除去方法において、輸送配管を、反応促進剤の通過を許容するとともに、紫外線又はマイクロウェーブが飛灰に十分照射される多孔配管で構成するようにしたことを特徴とするダイオキシン類の除去方法。
【請求項２】
反応促進剤は、オゾン又は過酸化水素としたことを特徴とする請求項１記載のダイオキシン類の除去方法。
【発明の詳細な説明】
【０００１】
【発明の属する技術分野】
本発明は、ダイオキシン類の除去方法に関し、特に気体による搬送中の飛灰からダイオキシン類を除去する方法に関する。
【０００２】
【従来の技術】
従来、焼却設備等から排出される含塵空気は流入口１１を介して集塵機（図例ではバク式集塵機１０）の含塵空気室３に導入され、多数のバグフィルタ１４により濾過され、浄化空気室１５を経て排出口１２より外部へ排出される。
【０００３】
この際、含塵空気に含まれる飛灰はダイオキシン類を含む有害物質であり、バグフィルタ１４により浄化空気室１５への流入は阻止され、バクフィルタ１４に付着する。
【０００４】
バクフィルタ１４に付着した有害物質を含む飛灰は、浄化空気室１５側に設けた空気噴出手段（図示省略）等によりバグフィルタ１４にパルスを与えることにより含塵空気室１３の下部に落とされる。
【０００５】
含塵空気室１３の下部に落とされた飛灰はロータリーバルブ１６を介し中継ホッパー１７に一旦貯留され、開放弁１８を介しトランスポータ１９に移される。
【０００６】
その後、周知の空気搬送方法によって灰バンカ２１に搬送され、溶融により処理するか若しくは、無酸素下で加熱分解を行う等して灰バンカに貯まった飛灰を処理していた。
【０００７】
【発明が解決しようとする課題】
しかし、この従来の方法の場合、溶融により処理するときは大量のエネルギーを消費し、ランニングコストが割高となる問題があり、また無酸素下で加熱分解を行い処理するときは設備の規模が大きくなり装置そのものが高価となりイニシャルコストが割高となる等の欠点がある。
本発明はかかる点に鑑み、イニシャル・ランニング両コストを低減し、簡便な設備でダイオキシン類を除去できる方法を提供することを目的とする。
【０００８】
【課題を解決するための手段】
上記目的を達成するため、本発明のダイオキシン類の除去方法は、配管内を気体により輸送せしめる飛灰の輸送に際し、輸送配管適所でマイクロ波又は紫外線を照射しダイオキシン類を分解除去するダイオキシン類の除去方法において、輸送配管を、反応促進剤の通過を許容するとともに、紫外線又はマイクロウェーブが飛灰に十分照射される多孔配管で構成するようにしたことを特徴とする。
【０００９】
上記の構成からなる本発明は、ダイオキシン類を含む飛灰を空気輸送する際にダイオキシン類の除去をすることができる。
【００１０】
この場合において、反応促進剤は、オゾン又は過酸化水素とすることができる。
【００１１】
反応促進剤として、オゾンや過酸化水素を使うときは、共に強力な酸化剤であり、また分解後は酸素や水になるので二次廃棄物が発生することなくダイオキシン類の分解除去効率を確実に高めることができる。
【００１２】
【発明の実施の形態】
以下、本発明のダイオキシン類の除去方法の実施の形態を図面に基づいて説明する。
【００１３】
図１は、本発明によるダイオキシン類の除去方法を説明する全体図を示す。
従来例と同様の構成については同様の符号を付し説明を省略する。
【００１４】
ダイオキシン類を含む飛灰は、トランスポータ１９に蓄えられ従来と同様に周知の空気搬送方法によって輸送配管２０内を通り灰バンカ２１に送られる。
【００１５】
この際、輸送配管２０の適所に紫外線又はマイクロウェーブ又はその両方を選択的に照射することができる照射装置１を設置する。
図例では１台の設置の例を示すが２台若しくはそれ以上設置してもよい。
【００１６】
照射装置１は、輸送配管２０を覆う用に設置し、適所に紫外線又はマイクロウェーブ又はその両方を選択的に照射する照射機構２を備え、内面を紫外線やマイクロウェーブが反射する反射板３とした円柱又は立方体の形状とする。
【００１７】
５は、照射装置１に設けた反応促進物質供給管を示す。反応促進剤Ｈは、オゾン又は過酸化水素の他、アルカリ物質から水酸基（ＯＨ−）が分離し、脱塩素化つまり還元反応を促進せしめるような物質であればよい。
なお、反応促進物質供給管５は図３に示す参考例の如く照射装置１に設けることなく照射装置１の上流側の輸送配管２０に設けてもよい。
【００１８】
照射装置１内の輸送配管２０は図２に示す如く多孔配管４とし反応促進剤Ｈの通過を許容するとともに、紫外線やマイクロウェーブが飛灰に十分照射されるように構成する。
【００１９】
また、照射装置１内の輸送配管２０は図３に示す参考例の如くガラス配管７とし更に照射装置１内部を蛇行して配設せしめて紫外線やマイクロウェーブの照射時間を十分に確保する様に構成することもできる。
この際、上述した多孔配管４を蛇行して配設することもできる。
【００２０】
照射機構２は、図３に示す如く照射装置１の外部に１台以上設置するようにしてもよい。
【００２１】
上記構成において、トランスポータ１９より輸送配管２０を通って送られてくる飛灰中の有害ダストＤは照射装置１に至ると反応促進剤Ｈが混ざるとともに、照射機構２から照射されるマイクロウェーブにより無害ダストＣとなる。
これは、マイクロウェーブを例に取るとマイクロウェーブの物体表面を局所的に高温加熱する作用によってダイオキシン類が分解されることによる。
【００２２】
ダイオキシン類は飛灰表面に付着しているものであり、飛灰中心部は常温であっても表面を高温加熱することによりダイオキシン類は十分に分解される。
【００２３】
照射機構２から紫外線を照射する場合は、反応促進剤Ｈとして、酸化剤を供給する。
酸化剤としては、ＯＨ（ＯＨラジカル）、Ｏ３（オゾン）、Ｈ２Ｏ２（過酸化水素）、ＨＣｌＯ等が挙げられ、紫外線は触媒の働きをする。
【００２４】
酸化剤に紫外線が照射されることによりＯＨラジカルなどの活性酸素を発生させることができる。
【００２５】
この、活性酸素によって有機物であるダイオキシン類を分解除去するもので、一般に水によるＤＸＮ分解処理法として利用されている促進酸化法と同様の効果によるものである。
【００２６】
以上、本発明のダイオキシン類の除去方法について、その実施例に基づいて説明したが、本発明は上記実施例に記載した構成に限定されるものではなく、その趣旨を逸脱しない範囲において適宜その構成を変更することができるものである。
【００２７】
【発明の効果】
以上の如く本発明のダイオキシン類の除去方法によるときは、輸送配管適所でマイクロ波又は紫外線を照射しダイオキシン類を除去するようにしたから、その方法は簡便でありイニシャル・ランニング両コストを従来に比して大幅に低減することができる。
また、既設の設備においてもわずかな改造を工事を施すことによって、本発明のダイオキシン類の除去方法を適用することができる。
【図面の簡単な説明】
【図１】  本発明によるダイオキシン類の除去方法を説明する全体図を示す。
【図２】  照射装置の一部断面図を示す。
【図３】  照射装置の参考例の一部断面図を示す。
【図４】  従来例の説明図を示す。
【符号の説明】
２０  輸送配管
Ｈ    反応促進剤
【図１】
0003725485.tif 000002
【図２】
0003725485.tif 000003
【図３】
0003725485.tif 000004
【図４】
0003725485.tif 000005